(57)【要約】【課題】従来の規格（例えば、フレームレート）の異なる放送波からのコンテンツの再生の制限を維持しつつ、ＩＰ電話による映像データを再生する時については、このような制限を受けないようにする。【解決手段】第１の映像データを含むコンテンツを入力するデータ入力部と、ネットワークを介して接続された情報処理装置との間で、第２の映像データを含む通話情報を送受信するネットワーク電話部と、第１の映像データの再生を制限するために、所定項目に関する規定値を予め定めた制限部Ｆと、ネットワーク電話部が起動していない場合にデータ入力部から入力した第１の映像データの所定項目の値が制限部Ｆの規定値を逸脱している場合は、当該第１の映像データの再生を制限し、ネットワーク電話部の起動中は、制限部Ｆによる制限を解除する映像処理部と、を備える。【選択図】図７
2012191347.tif 000002
【特許請求の範囲】
【請求項１】
第１の映像データを含む放送コンテンツを入力する放送データ入力部と、
ネットワークを介して接続された情報処理装置との間で、前記放送コンテンツの規格とは異なるものであって第２の映像データを含む情報を入力するデータ入力部と、
前記第１の映像データの再生を制限するために、所定項目に関する規定値を予め定めた制限部と、
前記データ入力部が起動していない場合に前記放送データ入力部から入力した前記第１の映像データの所定項目の値が前記制限部の規定値を逸脱している場合は、当該第１の映像データの再生を制限し、前記データ入力部の起動中は、前記制限部による制限を解除する映像処理部と、
を備える映像表示装置。
【請求項２】
前記制限部において予め定められている所定項目に関する規定値は、映像データのフレームレートの値である、
請求項１記載の映像表示装置。
【請求項３】
前記制限部は、前記第１の映像データの前記フレームレートの値が２５ｆｐｓの場合、前記第１の映像データの再生を制限する、
請求項２記載の映像表示装置。
【請求項４】
第１の映像データを含む放送コンテンツを入力する放送データ入力部と、ネットワークを介して接続された情報処理装置との間で、前記放送コンテンツの規格とは異なるものであって第２の映像データを含む情報を入力するデータ入力部と、を備える映像表示装置における映像処理方法であって、
前記第１の映像データの再生を制限するために、所定項目に関する規定値を予め定める工程と、
前記データ入力部が起動していない場合に前記放送データ入力部から入力した前記第１の映像データの所定項目の値が規定値を逸脱している場合は、当該第１の映像データの再生を制限し、前記データ入力部の起動中は制限を解除する工程と、
を含む映像処理方法。
【請求項５】
前記制限部において予め定められている所定項目に関する規定値は、映像データのフレームレートの値である、
請求項４記載の映像処理方法。
【請求項６】
前記第１の映像データの前記フレームレートの値が２５ｆｐｓの場合、前記第１の映像データの再生を制限する、
請求項５記載の映像処理方法。
【請求項７】
映像表示装置と、前記映像表示装置にネットワークで接続された情報処理装置とを備えた映像表示システムであって、
前記映像表示装置は、
第１の映像データを含む放送コンテンツを入力する放送データ入力部と、
前記情報処理装置との間で、前記放送コンテンツの規格とは異なるものであって第２の映像データを含む情報を入力するデータ入力部と、
前記第１の映像データの再生を制限するために、所定項目に関する規定値を予め定めた制限部と、
前記データ入力部が起動していない場合に前記放送データ入力部から入力した前記第１の映像データの所定項目の値が前記制限部の規定値を逸脱している場合は、当該第１の映像データの再生を制限し、前記データ入力部の起動中は、前記制限部による制限を解除する映像処理部と、
を備える映像表示システム。
【請求項８】
前記制限部において予め定められている所定項目に関する規定値は、映像データのフレームレートの値である、
請求項７記載の映像表示システム。
【請求項９】
前記制限部は、前記第１の映像データの前記フレームレートの値が２５ｆｐｓの場合、前記第１の映像データの再生を制限する、
請求項８記載の映像表示システム。
【発明の詳細な説明】
【技術分野】
【０００１】
本発明の実施形態は、映像表示装置、映像処理方法および映像表示システムに関する。
【背景技術】
【０００２】
従来、ネットワーク技術の向上に応じて、ネットワークを介して接続された通信機器間で、通話するための様々なアプリケーション等が提案されている。
【０００３】
そして、処理装置の高性能化及びソフトウェア技術の発展に伴い、デジタル機器が高機能化する傾向にある。これにより、デジタルテレビジョン表示装置も、様々な機能が搭載される傾向にある。これによりデジタルテレビジョン表示装置においても、例えばネットワークを介して接続された通信機器からテレビ番組情報を取得することが可能となった。
【０００４】
さらには、デジタルテレビジョン表示装置に、ネットワークを介して接続された他の通信機器との間で通話するＩＰ電話機能も提案されている。
【０００５】
一方、デジタルテレビジョン表示装置が受信する地上波のカラー放送方式としては、日本やアメリカなどで採用されておりフレームレートが３０ｆｐｓに規定されたＮＴＳＣ規格や、ドイツ、イギリス、オランダ等のヨーロッパ諸国や中国などで採用されておりフレームレートが２５ｆｐｓに規定されたＰＡＬ規格などがある。
【先行技術文献】
【特許文献】
【０００６】
【特許文献１】特開平６−８６２９８号公報
【発明の概要】
【発明が解決しようとする課題】
【０００７】
従来、ＮＴＳＣ規格とＰＡＬ規格のように異なるフレームレートの放送波であっても、コンテンツを再生できたため、様々な原因の問題となっていた。そこで、このような問題を解決するために、受信した放送波のフレームレート（ｆｐｓ）が規定値を逸脱している場合は、コンテンツの再生ができなくなるようにしている。
【０００８】
一方、ＩＰ電話機能においては、マシン性能にあわせてフレームレートを一定の範囲（例えば、５ｆｐｓ，１０ｆｐｓ，１５ｆｐｓ，２０ｆｐｓ，２５ｆｐｓ，３０ｆｐｓ）から選択可能になっている。そのため、ＩＰ電話機能にあっては、フレームレートの制限があってはならない。
【０００９】
本発明は、上記に鑑みてなされたものであって、従来の規格（例えば、フレームレート）の異なる放送波からのコンテンツの再生の制限を維持しつつ、ＩＰ電話による映像データを再生する時については、このような制限を受けないようにする映像表示装置、映像処理方法および映像表示システムを提供することを目的の一つとする。
【課題を解決するための手段】
【００１０】
実施形態の映像表示装置は、第１の映像データを含む放送コンテンツを入力する放送データ入力部と、ネットワークを介して接続された情報処理装置との間で、前記放送コンテンツの規格とは異なるものであって第２の映像データを含む情報を入力するデータ入力部と、前記第１の映像データの再生を制限するために、所定項目に関する規定値を予め定めた制限部と、前記データ入力部が起動していない場合に前記放送データ入力部から入力した前記第１の映像データの所定項目の値が前記制限部の規定値を逸脱している場合は、当該第１の映像データの再生を制限し、前記データ入力部の起動中は、前記制限部による制限を解除する映像処理部と、を備える。
【図面の簡単な説明】
【００１１】
【図１】図１は、本実施形態にかかるデジタルテレビジョン受像装置の利用環境を示した図である。
【図２】図２は、映像表示装置と同映像表示装置に組み込まれる通信装置の一例を示した図である。
【図３】図３は、ＩＰ電話部における機能を示したブロック図である。
【図４】図４は、テレビ電話データのデータ構造を示す図である。
【図５】図５は、ディスプレイに表示される着信の表示画面の例を示す図である。
【図６】図６は、ディスプレイに表示される送信者映像の表示画面の例を示す図である。
【図７】図７は、ソフトウェアの構成を示す階層図である。
【図８】図８は、映像処理の流れを示すフローチャートである。
【発明を実施するための形態】
【００１２】
以下、実施形態について図面を参照して説明する。図１は、本実施形態にかかる映像表示装置１００としてのデジタルテレビジョン受像装置の利用環境を示した図である。図１に示すように、本実施形態にかかる映像表示装置１００は、デジタルテレビジョン受像装置として、受信した番組コンテンツを、表示画面１０１に表示する機能を備えている。また、映像表示装置１００は、パーソナルコンピュータやデジタルテレビジョンなどの情報処理装置である通信機器１８０とインターネット通信回線などのネットワーク１５０を介して接続されて、映像表示システム１を構成する。
【００１３】
さらに、映像表示装置１００は、ネットワーク１５０を介して接続された他の通信機器との間でテレビ電話等を用いて通話可能とする機能が搭載されている。これにより、通信機器１８０との間で、テレビ電話等を用いたコミュニケーションを取ることができる。また、リモートコントローラ１２０は、番組を選択する場合に限らず、通話を行う場合にも利用される。
【００１４】
このようなコミュニケーションを可能とするために、映像表示装置１００には、通話等を行うためのＩＤが割り当てられている。そして、通信機器１８０が、映像表示装置１００に対して通話を行いたい場合に、通話先として当該ＩＤを選択すればよい。
【００１５】
図２は、実施形態にかかる映像表示装置と同映像表示装置に組み込まれる通信装置の一例を示した図である。なお、以下に説明する要素や構成、あるいは機能は、ハードウェアで実現するものであってもよいし、マイクロコンピュータ（処理装置、ＣＰＵ）等、を用いてソフトウェアで実現するものであってもよい。
【００１６】
図２が示す映像表示装置１００は、例えばテレビジョン放送を受信して音声（オーディオ）及び映像（ビデオ）を再生するデジタルテレビジョン受像装置を含んでいる。
【００１７】
映像表示装置１００は、少なくともデジタル放送の番組すなわちコンテンツを受信し、再生する。なお、映像表示装置１００は、ネットワーク１５０を通じて供給されるコンテンツの受信を可能とする。また、映像表示装置１００は、ネットワーク１５０を通じて接続される任意の接続相手先との間で、ＩＰ（Internet  Protocol）を用いた音声（オーディオを含む）及び動画（ビデオ）を用いたＩＰ電話の利用を可能とする。そして、映像表示装置１００は、ネットワーク１５０を介して、ＩＰ電話サーバ２８０と接続されているものとする。
【００１８】
映像表示装置１００のチューナ部２１１は、放送データ入力部として機能するものであり、アンテナや外部入力端子を介して第１の映像データを含む放送コンテンツ（番組）を受信する。そして、分離（Ｄｅｍｕｘ）部２１２が、受信した放送コンテンツを、映像データ（第１の映像データ）と、音声（オーディオ）データと、に分離する。
【００１９】
映像処理ブロック２２１が、映像デコーダ２２２と、映像処理部２２３と、を備える。そして、映像デコーダ２２２は、分離部２１２により分離された映像データをデコードして映像処理部２２３に出力する。
【００２０】
映像処理部２２３は、映像デコーダ２２２から出力された映像データを、後段のディスプレイ２２４で表示可能に処理する。本実施形態にかかる映像処理部２２３は、映像データに対して、所定の解像度、フレームレート及び出力方式、例えばインターレース（ｉ）／ノンインターレース（ｐ）等に変換する。そして、映像処理部２２３は、変換した後の映像データを、ディスプレイ２２４に供給する。なお、映像処理部２２３の出力先として、例えば外部モニタ装置あるいは投影装置（プロジェクタ装置）等が接続可能な、出力端２２５を選択しても良い。
【００２１】
一方、分離部２１２により分離された音声データは、音声処理ブロック２３１に入力される。音声処理ブロック２３１は、音声デコーダ２３２と、音声処理部２３３と、遅延部２３４と、Ｄ−Ａコンバータ２３５と、を備える。
【００２２】
そして、音声デコーダ２３２は、入力された音声データをデコードして音声処理部２３３に出力する。
【００２３】
音声デコーダ２３２によりデコードされた音声データは、音声処理部２３３に入力される。そして、音声処理部２３３は、入力された音声データを、音声出力装置で再生可能に処理し、遅延部２３４に出力する。そして、遅延部２３４は、入力された音声データに対して、映像処理部２２３が出力する映像データとの間の時間的な整合のために、所定時間の遅延を与える（音声（オーディオ）出力を遅延させる）。そして、遅延が与えられた後の音声データは、Ｄ−Ａコンバータ２３５に入力される。そして、Ｄ−Ａコンバータ２３５は、入力された音声データから、アナログの音声（オーディオ）出力を得る。
【００２４】
Ｄ−Ａコンバータ２３５から出力されたアナログの音声は、例えばスピーカ２３６に入力される。なお、Ｄ−Ａコンバータ２３５から出力されたアナログの音声は、ＡＶ（Audio  Visual）アンプ等が接続可能な出力端２３７に対して、分岐入力しても良い。
【００２５】
また、遅延部２３４により所定時間の遅延が与えられた音声（オーディオ）データは、ＩＰ電話制御部２４１にも入力可能とする。ＩＰ電話制御部２４１は、通信セット２４４と接続可能とする。通信セット２４４は、例えば、マイクロフォン２４２と、イヤホン２４３と、カメラ２４６と、を含む。また、イヤホン２４３の代わりに、音声再生部として、低出力の音声再生向けスピーカであってもよい。カメラ２４６は、外部の環境に存在するユーザの顔等を撮像する。
【００２６】
また、ＩＰ電話制御部２４１は、Ａ−Ｄコンバータ２４５と、カメラ映像処理部２４８と、を含み、アナログの音声出力を行うＤ−Ａコンバータ２３５を音声（オーディオ）処理ブロック２３１と共用する。Ａ−Ｄコンバータ２４５は、マイクロフォン２４２から入力されたアナログの音声を、音声（オーディオ）データに変換する。カメラ映像処理部２４８は、カメラ２４６から入力されたデータに対して処理を行い、映像データを生成する。
【００２７】
主制御ブロック２５１は、映像表示装置１００の、チューナ部２１１、分離部２１２、音声処理ブロック２３１及びＩＰ電話制御部２４１のそれぞれを制御し、所定の動作を実行させる。
【００２８】
主制御ブロック（Main  Processing  Unit，以下、ＭＰＵと称す）２５１は、ＣＰＵ（Central  Processing  Unit）２５２と、ＲＯＭ２５６と、ＲＡＭ２５７と、ＧＵＩ制御部２５４と、ネットワーク制御部２５５と、操作入力部２５３と、を少なくとも備える。
【００２９】
ＲＯＭ２５６は、動作プログラムを保持する。ＲＡＭ２５７は、ワークメモリとして機能する。ＧＵＩ制御部２５４は、ディスプレイ２２４に表示するＧＵＩ（Graphical  User  Interface，グラフィカルユーザインタフェース）の表示、及びＧＵＩからのユーザ入力を処理する。
【００３０】
また、ＣＰＵ２５２は、ＮＶＲＡＭ（non-volatile  ＲＡＭ）２６１と接続されている。ＮＶＲＡＭ２６１は、不揮発性の書き換え可能な記憶デバイスであって、ＣＰＵ２５２からの制御に従って様々なデータを記憶する記憶手段として機能する。
【００３１】
ネットワーク制御部２５５は、ネットワーク１５０との間の接続、すなわちネットワーク１５０からのさまざまな情報の取得及びネットワーク１５０へのユーザからのアクセス等を制御する。本実施形態においては、ネットワーク制御部２５５は、テレビ電話システムによる他の通信機器との間で、コミュニケーションを行うためのデータを送受信する。
【００３２】
また、ＭＰＵ２５１には、操作入力部２５３が接続されている。操作入力部２５３は、ユーザからの制御入力を受け付ける。また、操作入力部２５３は、例えばチューナ（入力）部２１１が選択するチャンネルを特定するチャンネルキー（ボタン）や、電源のオン／オフに用いる電源スイッチを備える。さらに、操作入力部２５３は、リモートコントローラ１２０からの指示や制御入力を受け付ける。その上、操作入力部２５３は、文字や記号あるいは数字等の入力を可能とするキー操作入力部（キーボード）等が接続されてもよい。
【００３３】
リモートコントローラ１２０は、チャンネルキーや、電源スイッチを備えるほか、ＩＰ電話による通話を開始するための操作キーを備える。そして、当該操作キーによる操作が行われた場合に、操作入力部２５３が、当該操作に基づく指示等を受け付ける。
【００３４】
ＣＰＵ２５２は、ＲＯＭ２５６に格納された動作プログラムを読み出した後、ＲＡＭ２５７を作業領域として用いて当該動作プログラムによる制御を行う。この動作プログラムには、オペレーティングシステム（Operating  System：ＯＳ）、ＴＶプログラム等のアプリケーションや各種ドライバの他、映像処理プログラムおよびＩＰ電話プログラムが含まれている（図７参照）。
【００３５】
映像処理プログラムは、詳細は後述するが、上述した映像処理ブロック２２１（映像デコーダ２２２および映像処理部２２３）を実現するためのプログラムである。
【００３６】
ＩＰ電話プログラムは、ネットワーク１５０を用いて、通信機器１８０等とテレビ電話等による通話を行うデータ入力部であるＩＰ電話部２６０を実現するためのプログラムである。ＩＰ電話プログラムは、周知のプログラムで提供される機能を含んでいてもよく、例えばＳｋｙｐｅ（登録商標）社が提供するインターネット電話「Ｓｋｙｐｅ」の機能を利用しても良い。
【００３７】
そして、ＩＰ電話部２６０は、通信セット２４４のマイクロフォン２４２により集音されたユーザの音声を示した音声データをパケット化し、ネットワーク１５０を介して接続された通信相手先に送信する。また、ＩＰ電話部２６０は、カメラ２４６を利用する場合、ユーザを撮像した映像データ（第２の映像データ）をパケット化し、音声データとともに送信する。
【００３８】
また、ＩＰ電話部２６０は、ネットワーク制御部２５５を介して、通信相手先から情報を受信した場合、当該情報から音声データや映像データを分離し、復号化する。そして、復号化された音声データは、音声処理ブロック２３１に出力される。そして、音声処理ブロック２３１の音声処理部２３３により処理が行われた音声データは、Ｄ−Ａコンバータ２３５に出力される。これにより、スピーカ２３６又はイヤホン２４３から、相手からの音声が出力される。
【００３９】
一方、復号化された映像データは、映像処理ブロック２２１に出力される。映像処理ブロック２２１の映像処理部２２３は、復号化された映像データである、ＪＰＥＧ（Joint  Photographic  Experts  Group）に代表される静止画や、例えばＭＰＥＧ（Moving  Picture  Experts  Group）−２，ＭＰＥＧ−４（Ｈ．２６４−ＡＶＣ）に代表される動画を再生できる。このように、映像処理部２２３は、コンテンツを再生する時の処理の他、ＩＰ電話による映像データを再生する時の処理も行う。
【００４０】
次に、ＩＰ電話部２６０における処理について説明する。図３は、ＩＰ電話部２６０における機能を示したブロック図である。図３に示すように、ＩＰ電話部２６０は、映像データ符号化部３１０と、音声データ符号化部３１１と、テレビ電話データ生成部３１２と、テレビ電話データ送信部３１３と、テレビ電話データ受信部３０２と、テレビ電話データ分離部３０３と、映像データ復号化部３０４と、音声データ復号化部３０５と、通話機能制御部３０６と、カメラ映像符号化部３０８と、マイク音声符号化部３０９と、を有している。
【００４１】
本実施形態にかかる映像表示装置１００においては、上述した構成を備えることで、テレビ電話としての機能を有する。
【００４２】
本実施形態では、映像表示装置１００と、通信機器１８０と、の間でテレビ電話を用いて通話している場合、映像表示装置１００と通信機器１８０との間でテレビ電話データが送受信されている。
【００４３】
図４は、テレビ電話データのデータ構造を示す図である。図４に示すように、テレビ電話データ４００は、映像データ４０１と、音声データ４０２と、通話制御データ４０３と、から構成されている。映像データ４０１は、カメラ２４６から入力された映像を符号化したデータを示す。音声データ４０２は、マイクロフォン２４２から入力された音声を符号化したデータを示す。
【００４４】
通話制御データ４０３は、テレビ電話を行う際の制御に用いられるデータを示す。本実施形態にかかる通話制御データ４０３は、通話発信者者ＩＤ４１１と、通話発信者プロフィール情報４１２と、通話受信者ＩＤ４１３と、から構成されている。
【００４５】
通話発信者ＩＤ４１１及び通話受信者ＩＤ４１３は、テレビ電話システムに接続する各通信装置（映像表示装置１００を含む）又は各ユーザに対して、重複が無いようＩＰ電話サーバ２８０から割り振られたＩＤとする。そして、通話発信者プロフィール情報４１２には、通話発信者のＩＰアドレス、機器固有アドレス、通話発信者の名前、及び住所等の個人情報が格納されている。
【００４６】
このテレビ電話データ４００を送受信することで、映像表示装置１００を含んだ複数の通信装置間で、テレビ電話による通話を行うことができる。
【００４７】
図３に戻り、本実施形態にかかる映像表示装置１００では、テレビ電話による通話時に、カメラ２４６で撮像した映像データと、マイクロフォン２４２で集音した音声データと、を含めたテレビ電話データを、ネットワーク制御部２５５を介して送信する。さらに、映像表示装置１００では、ネットワーク制御部２５５を介して受信したテレビ電話データから分離した映像データを、ディスプレイ２２４で表示し、受信したテレビ電話データから分離した音声データを、スピーカ２３６から出力する。本実施形態にかかる映像データは、動画像データ又は静止画像データのどちらでも良いものとする。
【００４８】
さらに、映像表示装置１００では、リモートコントローラ１２０から、操作入力部２５３を介して、ユーザの指示を受信し、テレビ機能及びテレビ電話機能を制御する。
【００４９】
カメラ映像符号化部３０８は、カメラ映像処理部２４８で生成された映像データに対して符号化処理を行い、カメラ２４６で撮像された映像データを取得する。
【００５０】
マイク音声符号化部３０９は、Ａ−Ｄコンバータ２４５により変換された音声データに対して符号化処理を行うことで、マイクで集音された音声データを取得する。
【００５１】
テレビ電話データ受信部３０２は、ネットワーク制御部２５５を介して、通信機器１８０から、コミュニケーションするための情報であるテレビ電話データを受信する。そして、テレビ電話データ受信部３０２が受信したテレビ電話データは、テレビ電話データ分離部３０３に出力される。
【００５２】
テレビ電話データ分離部３０３は、テレビ電話データ受信部３０２から入力されたテレビ電話データを、映像データ４０１と、音声データ４０２と、通話制御データ４０３と、に分離する。分離された通話制御データ４０３は、そのまま通話機能制御部３０６に入力される。
【００５３】
映像データ復号化部３０４は、分離された映像データ４０１に対して、復号化処理を施し、通話機能制御部３０６に出力する。音声データ復号化部３０５は、分離された音声データ４０２に対して、復号化処理を施し、通話機能制御部３０６に出力する。
【００５４】
通話機能制御部３０６は、通信機器１８０との間のテレビ電話による通話機能の制御を行う。例えば、通話機能制御部３０６は、テレビ電話データ分離部３０３で分離された通話制御データ４０３が入力された場合に、通話制御データ４０３に含まれている通話受信者ＩＤ４１３が、自装置である映像表示装置１００を識別するＩＤと一致しているか否かを判定する。そして、通話機能制御部３０６は、一致していることを判定した場合に、着信を許可する。
【００５５】
図５は、ディスプレイ２２４に表示される着信の表示画面の例である。図５に示すように、表示画面１０１において、コンテンツの上に、着信通知ウィンドウ７０１が重畳表示される。この着信通知ウィンドウ７０１には、通話を開始するための通話開始ボタン７０２と、着信を強制的に切断するための着信切断ボタン７０３と、発信者のプロフィールが記載されたプロフィール情報欄７０４と、発信者からの要件を録音する留守番電話ボタン７０５と、が含まれている。そして、発信者との通話は、テレビ電話のユーザが、通話開始ボタン７０２を選択した場合に限り、開始される。
【００５６】
そして、通話機能制御部３０６は、通話開始ボタン７０２を選択した場合に限り、当該通話発信者ＩＤ４１１で識別される通信機器１８０との間の通話制御を開始する。なお、通話制御が開始された場合、通話機能制御部３０６は、映像データ復号化部３０４により復号化された送信者側の映像データ４０１を映像処理部２２３に出力する。
【００５７】
さらに、通話機能制御部３０６は、音声データ復号化部３０５により復号化された音声データ４０２に対して、ノイズキャンセリング、エコーキャンセリングなどの補正処理を実施し、音声処理部２３３に出力する。
【００５８】
これにより、映像処理部２２３が映像データの合成等をした後、図６に示すように、ディスプレイ２２４が送信者側の映像データ８０１を表示する。また、音声処理部２３３が音声データの合成等を行い、Ｄ−Ａコンバータ２３５で音声に変換された後、送信者側の音声がスピーカ２３６から出力される。
【００５９】
上述したように、映像表示装置１００で動作させる放送受信表示、他のアプリケーション表示中は、Ｓｋｙｐｅ等のＩＰ電話の通話機能の画面は表示されない。また、ＴＶプログラム等のアプリケーション実行中に着信があった場合、着信がある旨のみを表示画面１０１に表示し、ユーザがＴＶプログラム等のアプリケーションを終了させ、リモートコントローラ１２０によりＩＰ電話プログラムを起動させてＩＰ電話の通話機能を動作させて、着信対応を行う。
【００６０】
なお、通話制御が開始された場合、通話機能制御部３０６は、映像データ復号化部３０４により復号化された、送信者側の映像データ４０１と、カメラ映像符号化部３０８から入力された、受信者側の映像データと、を重畳し、映像処理部２２３に出力するようにしても良い。この場合、ディスプレイ２２４は、送信者側及び受信者側等を含んだ映像データを表示する。
【００６１】
次に、本実施形態にかかる映像表示装置１００の映像処理部２２３における映像処理について説明する。ここで、図７はソフトウェアの構成を示す階層図、図８は映像処理の流れを示すフローチャートである。
【００６２】
図７に示すように、映像処理プログラムは、オペレーティングシステム（ＯＳ）と、アプリケーションソフトウェア（ＴＶプログラムやＩＰ電話プログラム）との中間に入るミドルウェアである。
【００６３】
図７に示すように、映像処理プログラムは制限部として機能するフレームレートフィルタＦを含む。ここで、フレームレートフィルタＦについて説明する。
【００６４】
日本やアメリカなどにおいては、地上波テレビ放送用のカラー放送方式として、アメリカテレビジョン標準化委員会（National  Television  Standards  Committee）が定めたＮＴＳＣ規格を採用している。ＮＴＳＣ規格によれば、１フレーム（１画面）あたり５２５本の走査線で構成され、フレームレートは３０ｆｐｓで表示される。また、ドイツ、イギリス、オランダ等のヨーロッパ諸国や中国などにおいては、地上波テレビ放送用のカラー放送方式として、ＰＡＬ（Phase  Alternating  Line）規格を採用している。ＰＡＬ規格によれば、１フレーム（１画面）あたり６２５本の走査線で構成され、フレームレートは２５ｆｐｓで表示される。
【００６５】
従来、ＮＴＳＣ規格とＰＡＬ規格のように異なるフレームレートの放送波であっても、コンテンツを再生できたため、様々な原因の問題となっていた。そこで、このような問題を解決するために、映像表示装置１００においては、図７に示すフレームレートフィルタＦによってコンテンツ再生を制限するフレームレート（ｆｐｓ）の値を予め定めておき、受信した放送波（ＴＶプログラムからの映像データ）のフレームレート（ｆｐｓ）が規定値を逸脱している場合は、コンテンツの再生ができなくなるようにしている。本実施形態の映像表示装置１００におけるフレームレートフィルタＦは、フレームレート２５ｆｐｓ（ＰＡＬ規格）を制限するようにしている。
【００６６】
一方、「Ｓｋｙｐｅ」等のＩＰ電話プログラムは、マシン性能にあわせてフレームレートを一定の範囲（例えば、５ｆｐｓ，１０ｆｐｓ，１５ｆｐｓ，２０ｆｐｓ，２５ｆｐｓ，３０ｆｐｓ）から選択可能になっている。したがって、ＩＰ電話プログラムからの映像データのフレームレート（ｆｐｓ）が２５ｆｐｓに設定してある場合に、フレームレートフィルタＦによってコンテンツ再生を制限するものであってはならない。そこで、本実施形態の映像表示装置１００においては、ＩＰ電話プログラムからの映像データについては、フレームレートフィルタＦによる制限を受けないようにしている。
【００６７】
そこで、映像表示装置１００においては、「Ｓｋｙｐｅ」等のＩＰ電話プログラムの起動中は、フレームレートフィルタＦによるフレームレートの制限を解除し、ＩＰ電話プログラムが起動していないときは、フレームレートフィルタＦによるフレームレートの制限を再開する制御を行い、１台の映像表示装置１００でともに対応できるようにしている。
【００６８】
図８に示すように、映像表示装置１００の電源がＯＮされると、映像処理部２２３は、フレームレートフィルタＦをＯＮにし（ステップＳ１）、ＩＰ電話プログラムの起動に待機する（ステップＳ２）。
【００６９】
映像処理部２２３は、ＩＰ電話プログラムが起動したと判断すると（ステップＳ２のＹｅｓ）、フレームレートフィルタＦをＯＦＦにし（ステップＳ３）、ＩＰ電話プログラムの終了に待機する（ステップＳ４）。
【００７０】
その後、映像処理部２２３は、ＩＰ電話プログラムが終了したと判断すると（ステップＳ４のＹｅｓ）、ステップＳ１に戻り、フレームレートフィルタＦをＯＮにする。
【００７１】
このように本実施形態の映像表示装置１００によれば、ＩＰ電話部２６０が起動していない場合にチューナ部２１１から入力した第１の映像データの所定項目の値が、所定項目に関する規定値を予め定めたフレームレートフィルタＦにおける規定値を逸脱している場合は、当該第１の映像データの再生を制限し、ＩＰ電話部２６０の起動中は、フレームレートフィルタＦによる制限を解除する。これにより、従来の規格（例えば、フレームレート）の異なる放送波からのコンテンツ（第１の映像データ）の再生の制限を維持しつつ、ＩＰ電話による第２の映像データを再生する時については、フレームレートフィルタＦによる制限を受けないようにすることができる。
【００７２】
なお、上述した実施形態の映像表示装置１００の映像処理部２２３は、フレームレートフィルタＦによってコンテンツ再生を制限するフレームレート（ｆｐｓ）の値を予め定めておき、受信した放送波（ＴＶプログラムからの映像データ）のフレームレート（ｆｐｓ）が規定値を逸脱している場合は、コンテンツの再生ができなくなるようにしたが、これに限るものではない。例えば、音声ビットレート、映像ビットレート、アスペクト比、解像度、遅延時間等についてコンテンツ再生を制限する規定値を予め定めておき、受信した放送波（ＴＶプログラムからの映像データ）の各項目（音声ビットレート、映像ビットレート、アスペクト比、解像度、遅延時間等）が規定値を逸脱している場合は、コンテンツの再生ができなくなるようにしても良い。
【００７３】
なお、上述した実施形態の映像表示装置１００で実行される映像処理プログラムおよびＩＰ電話プログラムは、ＲＯＭ２５６等に予め組み込まれて提供される。
【００７４】
上述した実施形態の映像表示装置１００で実行される映像処理プログラムおよびＩＰ電話プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７５】
さらに、上述した実施形態の映像表示装置１００で実行される映像処理プログラムおよびＩＰ電話プログラムを、インターネット等のネットワークに接続されたコンピュータ上に格納し、ネットワーク経由でダウンロードさせることにより提供するように構成しても良い。また、上述した実施形態及び変形例の映像表示装置で実行されるＩＰ電話プログラムをインターネット等のネットワーク経由で提供または配布するように構成しても良い。
【００７６】
上述した実施形態の映像表示装置１００で実行される映像処理プログラムは、上述した各部（映像処理部２２３）を含むモジュール構成となっており、実際のハードウェアとしてはＣＰＵ（プロセッサ）が上記ＲＯＭから映像処理プログラムを読み出して実行することにより上記各部が主記憶装置上にロードされ、映像処理部２２３が主記憶装置上に生成されるようになっている。また、実施形態の映像表示装置１００で実行されるＩＰ電話プログラムは、上述した各部（ＩＰ電話部２６０）を含むモジュール構成となっており、実際のハードウェアとしてはＣＰＵ（プロセッサ）が上記ＲＯＭからＩＰ電話プログラムを読み出して実行することにより上記各部が主記憶装置上にロードされ、ＩＰ電話部２６０が主記憶装置上に生成されるようになっている。
【００７７】
また、本実施形態では、映像表示装置１００としてデジタルテレビジョン受像装置に適用した例をあげて説明したが、例えば、ＨＤＤレコーダ、チューナ、セットトップボックス等にも映像表示装置１００を適用することができる。
【００７８】
また、本実施形態では、ネットワーク１５０を介して接続されたパーソナルコンピュータやデジタルテレビジョンなどの情報処理装置である通信機器１８０との間で通信する放送コンテンツの規格とは異なる情報に含まれる第２の映像データを、ＩＰ電話部２６０からの映像データとしたが、これに限るものではなく、放送コンテンツの規格とは関係のないネットワークコンテンツ全般の映像データに適用可能である。
【００７９】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００８０】
１        映像表示システム
１００    映像表示装置
１５０    ネットワーク
１８０    情報処理装置
２１１    放送データ入力部
２２３    映像処理部
２６０    データ入力部
Ｆ        制限部
【図１】
2012191347.tif 000003
【図２】
2012191347.tif 000004
【図３】
2012191347.tif 000005
【図４】
2012191347.tif 000006
【図５】
2012191347.tif 000007
【図６】
2012191347.tif 000008
【図７】
2012191347.tif 000009
【図８】
2012191347.tif 000010